(57)【要約】【課題】情報記録媒体としてのＣＤ、ＤＶＤ等のディスクの出し入れが容易にできる安価な収納ケースを提供する。【解決手段】  ケース本体２と帯状の背板部４と蓋体部３とが相互間に薄肉のヒンジ部５、６を介して一連に一体成形された合成樹脂製のディスク収納ケース１において、上記背板部４の内側面に、ディスクＤの中央孔を含む上部領域を露出状態に収容保持しうるディスクホルダー１２を立上り状態に一体成形して付設し、蓋体３を開くことによって上記ディスクホルダー１２を起立せしめ得るものとする。【選択図】  図１
2006232339.tif 000002
【特許請求の範囲】
【請求項１】
ケース本体と、帯状の背板部と、蓋体とが、相互間にヒンジ部を介して一連に一体成形された合成樹脂製のディスク収納ケースにおいて、
前記背板部の内側面に、ディスクの中央孔を含む少なくとも片面上部を露出する態様で該ディスクを着脱自在に収容保持しうるポケット型のディスクホルダーが、ケースの内方に向けて突出状に設けられ、
前記蓋体を展開してケースを開いたときに前記ディスクホルダーが起立ないし立ち上がり状態に挙動するものとなされていることを特徴とするディスク収納ケース。
【請求項２】
前記ディスクホルダーが、前記背板部に一体成形されている請求項１に記載のディスク収納ケース。
【請求項３】
前記ディスクホルダーは、ディスクの下部領域に沿接する支持基板と、該支持基板のディスク保持面の下部に形成され、ディスクの下部周面に当接して該ディスクを担持支承する突出段部と、ディスクが支持基板から離れる方向に遊離移動するのを阻止する１ないし複数個の抑え爪片とを具備する請求項１〜２のいずれか１項に記載のディスク収納ケース。
【請求項４】
ケース本体の内側面に、ディスク収納時に該ディスクの上部外周縁に適合してディスクがディスクホルダーから抜脱する方向に移動するのを阻止する１ないし複数の外周拘束片が突出状に設けられている請求項１〜３のいずれか１項に記載のディスク収納ケース。
【発明の詳細な説明】
【技術分野】
【０００１】
本発明は、情報記録媒体としてのＤＶＤ、ＣＤ等のディスクの収納ケースに関する。
【背景技術】
【０００２】
この種のディスクケースは、ディスクの特に情報記録面の損傷防止をはかることの重要性から、収納状態においてディスクが遊動しないように確実な拘束状態にして収納しうるものであることが求められる。このような要請に基づき、従来のディスクケースにおいては、大別して次のような３つのディスク拘束手段が採用されている。
【０００３】
第１は、浅い皿状のケース本体の内面にディスク径に対応する環状膨隆部を形成し、この環状膨隆部の内周面部に形成された段部にディスク外周縁部を担特させることにより、ディスクを上記環状膨隆部の内側に落とし込み状態に保持しうるものとした外周拘束型である。第２は、ケース本体の内面中央部に突設された、好ましくは拡径ロック手段を有するセンターハブ（中央突起）に、ディスクの中央孔をはめ合わせることにより、上記ハブでディスクを内周側から拘束しうるものとした内周拘束型である。第３は上記第１及び第２の拘束手段の併用型である。
【０００４】
しかしながら、上記のような拘束手段を採用した従来のディスクケースにおいては、ケースを開いてディスクを定位置にセットし、あるいは該セッテイング状態のディスクを取出す作業が、いささか面倒であり、また行いにくいという難があった。
【０００５】
特に、取出し時において、手の小さい子供や、爪を長く伸ばした婦人等においては、ディスクの外周縁の略対角線上の位置に２本ないしは３本の指先をかけて水平状にディスクを持ち上げるに際に、指先が届かなかったり、爪先がケース本体の底面に当たってディスクをうまく挟み込ことができなかったり、あるいはハブの中央部を強く押さえ込んでハブ外径を縮小させるロック解除操作を行なうに際し、爪先が邪魔になって該操作を円滑に行うことができない等々の種々のディスク取出し上の不便さを有するものであった。
【０００６】
従来、このような不便を解消するための手段を採用したディスクケースとして、下記特許文献１及び２に示すようなものが提案されている。
【特許文献１】実開平５−１３９８５号公報
【特許文献２】特開２００１−４８２７０号公報  上記特許文献１は、ケース本体内に、ディスクの下面側に待機するディスクプッシャーを設け、該ディスクプッシャーを蓋体に連結して、蓋体を開けたとき、この蓋体の回動に連動してディスクプッシャーを若干回動させ、その上に乗ったディスクを持ち上げるようにしたものである。
【０００７】
また、特許文献２は、主として紙製のディスク収納ケースに関し、ケース内に別途袋状のディスク収納部を設け、この収納部を、ケース本体及び蓋体の各内面と支持部を介して連結し、ケースを開けることにより上記支持部の作用で前記収納部をケースの内面側で起立させるようにしたものである。
【発明の開示】
【発明が解決しようとする課題】
【０００８】
しかしながら、上記特許文献１、２に示されるようなディスクケースの場合、いずれも構造的に複雑で製作コストが高くつくのみならず、誤作動のおそれもあり、更には、ディスクの情報記録面にプッシャーや収納部の内面が干渉あるいは摺接するため、ディスクを損傷するおそれがある。このような問題点のために、上記特許文献１、２に示されるようなディスクケースは、実際上、未だ実用化に至っていないのが実情である。
【０００９】
本発明は、このような従来技術の背景下において、特に安価に製作提供可能な合成樹脂一体成形品からなるディスク収納ケースに好都合に適用可能であり、構造的に簡単で格別大幅な製造コストの増大を招くことがなく、しかもディスクの情報記録面を傷つけるおそれのない、収納及び取出し操作の容易な実用便宜性に優れたディスク収納ケースを提供しようとするものである。
【課題を解決するための手段】
【００１０】
本発明は、上記の課題の解決手段として、下記の構成を提供する。
【００１１】
尚、以下の説明及び特許請求の範囲の記載において、ディスクの「上部」とは、ケースを開いてディスクホルダーが立ち上った状態を基準として、該ホルダーに保持されたディスクの上部を指称し、「下部」とは同じくその下部を指称するものとする。
［１］  ケース本体と、帯状の背板部と、蓋体とが、相互間にヒンジ部を介して一連に一体成形された合成樹脂製のディスク収納ケースにおいて、
前記背板部の内側面に、ディスクの中央孔を含む少なくとも片面上部を露出する態様で該ディスクを着脱自在に収容保持しうるポケット型のディスクホルダーが、ケースの内方に向けて突出状に設けられ、
前記蓋体を展開してケースを開いたときに前記ディスクホルダーが起立ないし立ち上がり状態に挙動するものとなされていることを特徴とするディスク収納ケース。
【００１２】
［２］  前記ディスクホルダーが、前記背板部に一体成形されている前項［１］に記載のディスク収納ケース。
【００１３】
［３］  前記ディスクホルダーは、ディスクの下部領域に沿接する支持基板と、該支持基板のディスク保持面の下部に形成され、ディスクの下部周面に当接して該ディスクを担持支承する突出段部と、ディスクが支持基板から離れる方向に遊離移動するのを阻止する１ないし複数個の抑え爪片とを具備する前項［１］〜［２］のいずれか１項に記載のディスク収納ケース。
【００１４】
［４］  ケース本体の内側面に、ディスク収納時に該ディスクの上部外周縁に適合してディスクがディスクホルダーから抜脱する方向に移動するのを阻止する１ないし複数の外周拘束片が突出状に設けられている前項［１］〜［３］のいずれか１項に記載のディスク収納ケース。
【発明の効果】
【００１５】
前記［１］項に記載の発明においては、ディスクホルダーが、ヒンジ部を介して両側縁をケース本体及び蓋体に連結されたケースの背板部の内側面に内方突出状態に設けられていることにより、蓋体を展開してケースを開くと、ケースホルダーがケース本体と蓋体との間の位置で、それらから遊離して起立状態に立ち上がる。しかも、ケースホルダーは、ディスクの中央孔を含む上部領域を露出した状態で該ディスクを抜き挿し自在に収容保持しうるものとなされているから、取扱い者は、中指あるいは人差し指の指先をディスクの中央孔に入れ、親指を外周縁に添わせてディスクを半径線上で挟み込むようにして安定良く把持しながら、ディスクホルダーへの出し入れを行うことができる。従って、その出し入れ操作を容易に行いうると共に、ディスクの情報記録面に手指が触れることがないので、当該記録面を損傷するおそれもない。
【００１６】
また、前記［２］項に記載の発明においては、ケースの成形時、即ちケース本体と背板部と蓋体部とを展開状態に射出成形するに際し、ケースホルダーを背板部の内側面に立ち上がり状態に同時成形することができるので、ディスクの出し入れに便利なホルダー付きの収納ケースを極めて安価に製作提供することができる。
【００１７】
更に前記［３］項に記載の発明においては、ディスクの情報記録面を露出させた状態でディスクホルダーに保持しうるので、ディスクの出し入れ時においてディスクの情報記録面がホルダーの壁面と擦れることがなく、該情報記録面を損傷するおそれがないのはもとより、ディスクのホルダーへの装着保持操作及び取外し操作のいずれも容易に行いうる。
【００１８】
更にまた前記［４］項に記載の発明においては、ディスクをケース内に収納した状態において完全な拘束状態に保持することができ、ケース内でディスクが遊動することがないので、ディスクを一層安全に保護することができる。
【発明を実施するための最良の形態】
【００１９】
次に、この発明の好ましい実施形態を添付図面に基づいて説明する。
［第１の実施形態］
図１〜図４に本発明の好まい第１の実施形態を示す。
【００２０】
この実施形態のディスク収納ケース（１）は、全体がポリエチレン、ポリプロピレン、あるいは塩化ビニール等の熱可塑性樹脂、特に若干の柔軟性を有する所謂半硬質の合成樹脂により一体成形されたものである。
【００２１】
上記収納ケース（１）は、ケース本体（２）と、これに対応する蓋体（３）と、帯状の背板部（４）とを具備し、背板部（４）を中間にして、その両側縁にケース本体（２）と蓋体（３）とがそれぞれ薄肉のヒンジ部（５）（６）を介して一連に一体成形されている。
【００２２】
ケース本体（２）は、背板部（４）側の側縁を除く他の三方の外縁に、ケースの周壁を構成する立上り縁（７）が設けられ、全体として底の浅い箱状ないしは皿状の形態に形成されたものである。
【００２３】
蓋体（３）は、これもケース本体（２）と略同様の形態を有し、三方の側縁に立上り縁（８）を有する。そしてこの蓋体（３）をヒンジ部（５）（６）を利用してケース本体（２）側に閉じ合わせ、施蓋状態とすることにより、前記立上り縁（７）（８）の先端部が相じゃくり状態にはまり合い、三方の周側壁を形成するものとなされている。背板部（４）の両端にも小さい立上り縁（９）が形成され、背板部（７）の両端部においてケース本体（２）と蓋体（３）との間に出来る隙間を塞ぐようになっている。
【００２４】
また、ケース本体（２）と蓋体（３）の外方側縁、即ち背板部（４）と反対側の側縁の立上り縁（７）（８）の中央部には、ケースを開くときの指掛かりとなる凹陥部（１０）（１０）が形成されると共に、蓋体（３）の立上り縁（８）には図示を省略したが、施蓋時に該蓋体（４）をケース本体（３）側に係止して不本意な蓋体（４）の開きを防止する係止爪が設けられている。図１中（１１）は、ケース内に同梱収納する小冊子類の止め具である。
【００２５】
以上の構成は、従来のディスク収納ケースと略同様である。
【００２６】
本発明においては、背板部（４）の内側面に、該背板部の存する平面に対して垂直に立ち上った状態にディスクホルダー（１２）が設けられている。このディスクホルダー（１２）は、背板部（４）と一体に成形されている。即ち、図２に示すように、ケース本体（２）、蓋体（３）及び背板部（４）を平面状に展開した状態で射出成形するに際し、背板部（４）から垂直に立ち上った姿勢で同時に一体成形されたものである。もっとも、別体で成形したディスクホルダー（１２）を、事後的に背板部（４）の内側面に接着その他の固着手段で一体的に取付けるものとしても良いが、上記のように背板部（４）と一体成形することにより、製造コストを低減でき、しかもディスクホルダー（１２）を強固に付設したものとなしうる点で有利である。
【００２７】
ディスクホルダー（１２）は、ディスク（Ｄ）の下部領域に沿接する薄い支持基板（１３）を有する。該支持基板（１３）は、上側辺が下向きの円弧状に形成され、ディスク（Ｄ）を保持した状態において、その中央孔（ＤＨ）を含む上部領域を大きく露出させ得るものとなされている。
【００２８】
上記支持基板（１３）のディスク保持面の下部には、厚肉部（１４）が形成されている。この厚肉部（１４）の上側辺は、ディスク（Ｄ）の外径の半円周に対応する半円弧状に形成され、前記ディスク保持面側に半円弧状の突出段部（１５）を形成している。この段部（１５）の高さは、ディスク（Ｄ）の厚さよりやや大きいものとなされ、ディスクホルダー（１２）に収容保持したディスク（Ｄ）の下部半周領域の周側面を安定的に担持支承するものとなされている。そしてまた、上記突出段部（１５）の左右の両端部は、図１及び図４に示すようにやや外方拡開状に傾斜しており、ディスク（Ｄ）の挿入時の導入ガイド部（１６）を形成している。
【００２９】
また、前記突出段部（１５）の下端部及び左右上端部には、支持基板（１３）のディスク保持面との間にディスク（Ｄ）の厚み相当の隙間を存置して、内方に突出する３個の抑え爪片（１７）が設けられている。これらの抑え爪片（１７）は、ディスク（Ｄ）が支持基板（１３）から離れる方向に遊離移動するのを阻止する役目を担い、ホルダー（１２）にディスク保持機能を付与するものである。
【００３０】
ディスクホルダー（１２）は、上記実施形態に示したものに限定されるものではなく、ディスク（Ｄ）を着脱自在に保持しうるものであれば、他に任意の設計的変更が許容されるものである。例えば、ホルダーの全体形状を厚肉部（１４）に相当する形状のものとし、円弧状の上側面にディスク（Ｄ）の周縁部が嵌まり込む浅い溝を形成したものとしても良い。またその場合、ホルダーの左右両端の立上り状部分に弾力をもたせて、収容したディスク（Ｄ）を左右両側から弾力的に挟み付けて安定的に保持しうるようなものとしても良い。
【００３１】
図示の実施形態のように、支持基板（１３）を有するものとすることにより、ディスク（Ｄ）の収容操作時において、該ディスク（Ｄ）を支持基板（１３）のディスク保持面に沿わせるようにしながら押し込むことで容易に収容操作を行いうる点で好ましい。
【００３２】
また、ケース本体（２）の内底面には、短円柱状のセンターハブ（１８）と外周拘束片（１９）が内方突出状に設けられている。
【００３３】
センターハブ（１８）は、ディスクホルダー（１２）にディスク（Ｄ）を収容保持した状態で蓋体（３）を閉じた際、ディスク（Ｄ）の中央孔（ＤＨ）に嵌まり込んでディスク（Ｄ）の位置決めを確かにする役割を担うものであり、下部に径大の台座部（１８ａ）を有し、ディスク（Ｄ）がケース本体（２）の内面に当接するのを防ぐ役割も担いうるものとなっている。一方、外周拘束片（１９）は、ディスク（Ｄ）の上部外周に沿う形で、ケース本体（２）の内面に膨隆形成された円弧状の畝形態のものであり、内周側に段部（１９ａ）を有し、ディスク収納時にディスク（Ｄ）の上部外周縁部を上記段部（１９ａ）上に担特すると共に、ディスクの上部外周縁に適合してディスク（Ｄ）がディスクホルダー（１２）から抜脱する方向に移動するのを阻止する役目を担うものとなっている。
【００３４】
上記外周拘束片（１９）は、図示の実施態様のような連続した１つの円弧状のものとするほか、複数個の拘束片を断続状に設けるものとしても良い。
【００３５】
また、上記センターハブ（１８）と外周拘束片（１９）は、この発明において必ずしも両者を必要とするものではなく、いずれか一方のみを設けるものとしても良いし、ディスクホルダー（１２）がディスクを確実な拘束状態に保持しうるものであれば、両者をともに省略したものとしても良い。
【００３６】
上記実施形態によるディスク収納ケース（１）は、主としてＤＶＤの収納に用いられるものである。収納に際しては、蓋体（３）を開いてケース全体を大きく展開状態にする。すると、背板部（４）の動きに連動して、ディスクホルダー（１２）がケース本体（２）と蓋体（３）との間の位置で立ち上がり状態になる。そこで、例えば図６に示すように人指し指をディスク（Ｄ）の中央孔（ＤＨ）に入れ、親指をディスク（Ｄ）の外周縁に添わせてディスク（Ｄ）を挟み込み状態に持ち、そのままディスク（Ｄ）をホルダー（１２）の上端側から挿し込むようにして収容する。このとき、ディスク（Ｄ）の情報記録面を支持基板（１３）のディスク保持面と反対側の面に向けて収容することが、傷つき防止の点から望ましい。収容状態においてディスク（Ｄ）は、その下部外周面が段部（１５）上に担特支承され、同外周縁が支持基板（１３）と抑え爪片（１５）とで挟持されて、ホルダー（１２）に安定状態に保持される。
【００３７】
そこで、蓋体（３）をケース本体（２）に向けて閉じ合わせると、背板部（４）に連動してディスクホルダー（１２）は伏下回動し、図３に示すようにケース本体（２）及び蓋体（３）と平行状態になってケース内に収納される。この収納状態において、ディスク（Ｄ）は、その中央孔（ＤＨ）がセンターハブ（１８）に嵌まり込んで拘束されると同時に、上部外周縁部が外周拘束片（１９）の内側にはまり込んで更に確実な拘束状態が実現される。
【００３８】
ケース（１）からディスク（Ｄ）を取出するときは、蓋体（３）を開けると、図１および図２に示すようにディスクホルダー（１２）が起立ないし立ち上がり状態に挙動する。そこで、この立ち上がり状態になったディスクホルダー（１２）から、それに保持されているディスク（Ｄ）を前記同様に指を掛けて把持し、上方に抜き出すようにして取出す。
【００３９】
このように、本発明に係る収納ケース（１）にあっては、ディスク（Ｄ）の出し入れを極めて容易に行うことができる。しかも、ディスクホルダーをケースの背板部（４）と同時一体成形することができるので、機能性に優れたケースを安価に製作提供できる。
［第２の実施形態］
本発明の第２の実施形態を図７および図８に示す。
【００４０】
このディスク収納ケース（２１）は、主としてコンパクトディスク収納用のものであり、前記の第１実施形態のものに較べて小型のものであり、ケースの各辺の長さがディスク（Ｄ）の直径より僅かに大きい略正方形に形成されたものである。
【００４１】
（２２）はケース本体、（２３）は蓋体、（２４）は背板部である。
【００４２】
背板部（２４）の内側面に一体成形されたディスクホルダー（２５）は、前記実施形態のものと略同様の構成を有するが、その左右の側辺部の対応部位においてケース本体（２２）の周縁の立上り縁（２７）が上記左右側辺部の長さに対応する長さ分だけ切り欠かれている。（２７ａ）はこの切欠部を示す。そして、この切欠部（２７ａ）を補填する形で、ディスクホルダー（２５）の左右側辺部に凸縁部（２５ａ）が一体形成されており、蓋体（２３）を閉じ合わせた際に、上記凸縁部（２５ａ）とディスクホルダ（２５）の側面部とがケース本体（２２）の立上り縁（２７）に連続して周側壁を形成するものとなされている。
【００４３】
その他の構成及び取扱操作は、前記第１の実施形態の場合と実質的にほぼ同様であり、相互に対応する部分に同一の符号を示して詳しい説明を省略する。
【００４４】
この発明は、上記の各実施形態の構成に限定されるものではない。各種の設計的な変形実施態様を包含する。例えば、ディスクホルダー（１２）（２５）は、１枚のディスクを収容保持するものとして示したが、２枚あるいは３枚以上のディスクを収容保持しうるものに構成しても良い。
【産業上の利用可能性】
【００４５】
本発明は、ＤＶＤ、ＣＤ等の情報記録媒体としての円板状ディスクの収納保管用として利用可能である。
【図面の簡単な説明】
【００４６】
【図１】本発明の第１の実施形態のディスク収納ケースを、蓋体を半ば開いた状態で示した斜視図である。
【図２】同じく蓋体を水平状に展開した状態で示したディスク収納ケースの側面図である。
【図３】蓋体を閉じたディスク収納状態を示す縦断面図である。
【図４】ディスクホルダー部分を、支持基板側から見た斜視図である。
【図５】図４のＶ−Ｖ線の断面図である。
【図６】ディスクの出し入れ時の取扱い状態を示す斜視図である。
【図７】本発明の第２の実施形態を示す開蓋展開状態の斜視図である。
【図８】図７の収納ケースの蓋体を閉じた収納状態を示す斜視図である。
【符号の説明】
【００４７】
１、２１・・・ディスク収納ケース
２、２２・・・ケース本体
３、２３・・・蓋体
４、２４・・・背板部
５、６・・・・ヒンジ部
１２、２５・・ディスクホルダー
１３・・・・・支持基板
１４・・・・・厚肉部
１５・・・・・突出段部
１７・・・・・抑え爪片
１９・・・・・外周拘束部
Ｄ・・・・・・ディスク
【図１】
2006232339.tif 000003
【図２】
2006232339.tif 000004
【図３】
2006232339.tif 000005
【図４】
2006232339.tif 000006
【図５】
2006232339.tif 000007
【図６】
2006232339.tif 000008
【図７】
2006232339.tif 000009
【図８】
2006232339.tif 000010